(57)【要約】【課題】処置具の挿通操作を円滑に行うことができ、かつ処置具を挿通させない状態では、スリットの密閉性を高くできるようにする。【解決手段】処置具導入部１２の口金１３に装着される鉗子栓１０には、その開閉弁部２１の本体板２９に、常時には壁面３３ａ，３３ｂが相互に当接して密閉状態となり、処置具を挿通するときには壁面３３ａ，３３ｂが離間して、この処置具を通過させるスリット３３が形成されており、このスリット３３の壁面３３ａ，３３ｂは処置具の挿入方向において、外側から途中までの部位は平滑面３５ａ，３５ｂとなり、それより内側の部位は非平滑面３６ａ，３６ｂとなっている。【選択図】      図５
2004222780.tif 000002
【特許請求の範囲】
【請求項１】
全体が弾性部材からなり、内視鏡に設けた処置具挿通路の処置具導入口の口金に着脱可能に装着され、前記処置具導入口の通路より小さい孔径となった絞り通路を設けた栓本体部と、この栓本体部に着脱可能に連結され、前記絞り通路の延長線位置に処置具が挿入可能であり、常時には密着状態となるスリットを設けた開閉弁部とを有する内視鏡の鉗子栓において、
前記スリットを構成する相対向する壁面は、その深さ方向に向けて平滑面部と非平滑面部とからなる２段壁面から構成し、
前記開閉弁部を前記栓本体部に連結したときに、前記平滑面部は処置具の挿入方向外側に位置し、前記非平滑面部は内側に位置させ、
前記平滑面部及び非平滑面部は共に相互間が密着するようにして前記栓本体部に連結される
構成としたことを特徴とする内視鏡の鉗子栓。
【請求項２】
前記非平滑面部は前記平滑面部に連なる部位を引き裂き状態にすることによって形成されていることを特徴とする請求項１記載の内視鏡の鉗子栓。
【発明の詳細な説明】
【０００１】
【発明の属する技術分野】
本発明は、医療用等として用いられる内視鏡に設けられ、鉗子その他の処置具を挿通するための処置具挿通チャンネルにおいて、処置具導入口の口金に着脱可能に装着される鉗子栓に関するものである。
【０００２】
【従来の技術】
体腔内に挿入されて、医療検査等を行う内視鏡は、術者等が手で把持して操作を行う本体操作部に体腔内への挿入部を連設し、さらに本体操作部に光源装置等に着脱可能に接続されるユニバーサルコードを連結して設けることにより大略構成されるものである。挿入部の先端部には体腔内を照明するための照明部と、この照明部から照射される照明下で体腔内の検査を行う観察部とを備えている。
【０００３】
例えば、内視鏡による検査の結果、患部等が発見されたときには、所要の処置を行うことができ、また組織細胞のサンプリング等も行えるようにしたものもある。このために、内視鏡には鉗子その他の処置具を挿通するための処置具挿通チャンネルが設けられる。処置具挿通チャンネルは、その先端が照明部及び観察部と共に挿入部の先端部に開口している。一方、処置具の処置具挿通チャンネルへの導入は本体操作部側で行なわれる。このために、本体操作部または本体操作部と挿入部との連結部に処置具導入口が形成される。
【０００４】
体腔内の圧力は大気圧より高いため、また処置具挿通チャンネルを吸引通路と兼用することがある等の点で、処置具導入口を常時開口させておくことはできない。このために、処置具導入口に口金を設けて鉗子栓を着脱可能に装着して、この処置具導入口を密閉する構成とするのが一般的である。そして、鉗子栓はゴム等の弾性部材で形成され、この鉗子栓に開閉弁を設けることによって、処置具を使用する場合に鉗子栓を口金から取り外すことなく、この開閉弁を開いて処置具を挿通させるように構成するのが一般的である。
【０００５】
処置具挿通チャンネル内に挿通される処置具としては、例えば鉗子等のように外径の大きい処置具が挿通されることもあり、またチューブ等の外径の小さい処置具が挿通されることもある。つまり、処置具挿通チャンネル内に挿通される処置具の太さはまちまちである。鉗子栓に設けられる開閉弁としては、処置具を挿入しても処置具の周囲を密閉状態に保持できるようになっているのが理想的である。しかしながら、処置具導入口の口径に近いような太い処置具を挿入したときにも、またそれより遥かに細い処置具を挿入したときにも、完全に密閉性が確保される鉗子栓は未だ開発されてはいない。
【０００６】
従来から知られている鉗子栓としては、処置具導入口の口径より小さい孔径を有する絞り通路と、処置具導入口の口径とほぼ同じかまたはそれより長いスリットとを形成し、このスリットは常時においては密着状態となし、もって処置具導入口を密閉状態に保持するように構成したものは従来から用いられている。処置具を挿通させる際には、スリットを押し広げるようにするが、細い処置具の場合には、スリットの広がりも小さいので、ある程度の密閉性が確保される。また、太い処置具を挿通させる場合には、スリットは大きく広げられるので、このスリットは密閉機能を発揮し得なくなる。ただし、スリットに加えて絞り通路を備えているので、この絞り通路を押し広げるように挿入されることから、太い処置具を使用する場合にも、処置具導入口は実質的に密閉状態に保持される。その結果、処置具を用いて体腔内で処置等を施している間に、体液等の汚物が逆流して、術者の手等に付着する等といった不都合を防止できるようになる。
【０００７】
そして、前述した絞り通路とスリットとを単一の部材に設けて、絞り通路の形成部を口金に着脱される栓本体となし、またスリットの形成部を開閉弁部として、これら栓本体と開閉弁部とを連結部で連結する構成となし、栓本体を口金に装着した上で、開閉弁部を栓本体に装着する構成としたものは、従来から知られている（例えば、特許文献１参照。）。
【０００８】
【特許文献１】
特公平５−５７８４８号公報（第２頁、第１−第４図）
【０００９】
【発明が解決しようとする課題】
前述した従来技術の鉗子栓におい、開閉弁部に形成されるスリットは、常時には、つまり鉗子等の処置具を挿通しない状態では、十分に密閉性を保持していなければならない。このスリットは、栓本体に連結される開閉弁部に、この栓本体に形成した通路を覆うように、所定の厚みを有する隔壁部を形成して、この隔壁部に厚み方向に貫通する切り込みを入れるようになし、かつこのスリットを構成する両壁面部を相互に密着する平滑な面として仕上げるようにしている。従って、スリットの密閉性を高めるには、開閉弁部のゴム硬度を高くするか、スリットの形成部に強い締め付け力を作用させる等によって、相互に接合される壁面部に強力な圧接力を作用させなければならない。しかしながら、スリットにおける密閉性を高めるために、それを構成する両壁面部の圧接力を大きくすると、処置具を挿通させる際の抵抗が増大して、この処置具の挿通操作性が悪くなり、特に腰の弱いチューブ類等にあっては、実質的に挿通できなくなる等といった不都合が生じる。また、繰り返し処置具を挿脱すると、スリットを構成する壁面部が変形する等によって、密閉性が失われる可能性もある。
【００１０】
本発明は以上の点に鑑みてなれたものであって、その目的とするところは、処置具の挿通操作を円滑に行うことができ、かつ処置具を挿通させない状態では、スリットの密閉性を高くできるようにすることにある。
【００１１】
【課題を解決するための手段】
前述した目的を達成するために、本発明は、全体が弾性部材からなり、内視鏡に設けた処置具挿通路の処置具導入口の口金に着脱可能に装着され、前記処置具導入口の通路より小さい孔径となった絞り通路を設けた栓本体部と、この栓本体部に着脱可能に連結され、前記絞り通路の延長線位置に処置具が挿入可能であり、常時には密着状態となるスリットを設けた開閉弁部とを有する内視鏡の鉗子栓であって、前記スリットを構成する相対向する壁面は、その深さ方向に向けて平滑面部と非平滑面部とからなる２段壁面から構成し、前記開閉弁部を前記栓本体部に連結したときに、前記平滑面部は処置具の挿入方向外側に位置し、前記非平滑面部は内側に位置させ、前記平滑面部及び非平滑面部は共に相互間が密着するようにして前記栓本体部に連結される構成としたことをその特徴とするものである。
【００１２】
鉗子栓は全体が弾性部材で構成される。その材質としては、弾性の度合い、強度、耐薬品性等の見地から、シリコンゴム等が望ましい。これ以外にも、例えばＥＰＤＭ，ＳＥＰ等のように、弾性力に富んだ部材で構成することもできる。栓本体部と開閉弁部とは、必ずしも一体的に形成される必要がなく、例えばそれぞれに必要な特性を持たせた部材で形成して、適宜の手段により連結するようにしても良い。ただし、製造の容易性等の観点から栓本体と開閉弁部とを折り返し用連結部で連結するように一体成型等の手段で形成することができる。
【００１３】
開閉弁部を栓本体部に連結したときに、開閉弁部は、栓本体部に形成した処置具の通路を構成する開口部を閉鎖する隔壁として機能するものであり、この隔壁は所定の厚さ寸法を有している。スリットはこの隔壁となる部位に栓本体部の開口部に通じるように貫通する状態に形成される。スリットを構成する相対向する壁面は、処置具の挿入方向における外側面、つまり外部に露出する面側から途中までは平滑面で形成され、この平滑面に連なるようにして、開口部内に位置する面までの間は非平滑面で形成される。ここで、非平滑面は壁面がジグザグ形状等の凹凸形状となったものを意味し、凹部及び凸部は概略Ｖ字形状となっており、かつ相互の壁面が全体にわたって密着する状態になるようにするのが望ましい。
【００１４】
非平滑面は規則的なジグザグ形状とすることもできるが、要は壁面が凹凸のある粗い面となり、しかもこの凹凸を含んだ面が相互に密着可能となっておれば良い。従って、スリットを形成する際に、例えば外側面から途中位置までカッタを用いて切り込みを入れることにより平滑面となし、この切り込みにより厚みが減少して脆弱となった部位を引き裂くようにして内外面を貫通させるようにすれば、容易に非平滑面を形成することができる。
【００１５】
【発明の実施の形態】
以下、図面を参照して、本発明の実施の形態について詳細に説明する。まず、図１に内視鏡の全体構成図を示す。図中において、１は本体操作部、２は挿入部、３はユニバーサルコードである。挿入部２は、本体操作部１への連結側から大半の長さ分は体腔内の挿入経路が曲がっている場合に、その曲がり方向に沿って自在に曲がる軟性部２ａとなっており、この軟性部２ａには、アングル部２ｂ及び先端硬質部２ｃが順次連結されている。先端硬質部２ｃには内視鏡観察手段を構成する照明部と観察部（共に図示せず）とが設けられており、アングル部２ｂは先端硬質部２ｃを挿入経路に沿ってガイドしたり、かつ先端硬質部２ｃに設けた内視鏡観察手段の視野を変えたりするために、所望の方向に向けて湾曲操作できるようになっている。このアングル部２ｂの湾曲操作は本体操作部１に設けたアングル操作手段４によって遠隔操作で行なわれる。
【００１６】
内視鏡は前述した内視鏡観察手段によって、体腔内を観察するだけではなく、内視鏡検査の結果等に基づいて発見された患部に対する処置や組織のサンプリング等も行えるようになっている。このために、本体操作部１には処置具導入部５が設けられ、この処置具導入部５から先端硬質部２ｃまでの部位には処置具挿通チャンネル６が設けられており、この処置具挿通チャンネル６の先端は照明部及び観察部等と共に先端硬質部２ｃに開口している。従って、鉗子その他の処置具を処置具導入部５から処置具挿通チャンネル６に挿通させて、先端硬質部２ｃから所定の長さ導出させることによって、所望の処置を施すことができるようになる。
【００１７】
処置具挿通チャンネル６は、また、吸引通路としても利用されるものである。従って、図示は省略するが、処置具挿通チャンネルは本体操作部１内で処置具導入部５に至る経路と、本体操作部１からユニバーサルコード３を経て吸引装置に接続される経路とに分岐している。さらに、本体操作部１には吸引バルブが設けられており、この吸引バルブを操作することによって、処置具挿通チャンネル６と吸引装置との間を連通・遮断できるようになっている。
【００１８】
そこで、内視鏡検査が行われる体腔内に体液や汚物が存在していると、吸引バルブを操作することによって、それらを処置具挿通チャンネル６から吸引通路に排出して、体腔内の観察条件を良好にする。この状態で、体腔内の検査を行い、その結果患部等が存在すると、鉗子その他の処置具を処置具導入部５から処置具挿通チャンネル６内に挿入することによって、患部等に対して適宜の処置が施されることになる。
【００１９】
以上のことから、処置具導入部５は、少なくとも吸引作業を行っている間は密閉状態に保持させる必要があり、しかもそのままで処置具を挿入できるようになっていなければならない。さらに、処置具挿通チャンネル６は体液等で汚損されることから、使用後には、処置具挿通チャンネル６の内部を洗浄しなければならない。従って、処置具導入部５には鉗子栓１０が着脱可能に装着されるようになっており、この鉗子栓１０は常時には密閉状態に保たれ、かつ処置具が挿通できる構造となっている。
【００２０】
そこで、図２に鉗子栓１０の具体的な構成を示す。同図において、１１は分岐通路を示し、この分岐通路１１は、図示は省略するが、処置具挿通チャンネル６の接続部と、吸引通路の接続部と、処置具導入口部１２とから形成されている。処置具導入口部１２には、口金１３が連結して設けられており、この口金１３に鉗子栓１０が着脱可能に装着されるようになっている。このために、口金１３の外周面には円環状の凹部１４が形成され、その先端部には鉗子栓１０の固定用突条１５が形成されている。
【００２１】
図３に鉗子栓１０の平面図を、また図４に断面図をそれぞれ示す。これらの図から明らかなように、鉗子栓１０は全体がゴム等の弾性部材で形成されており、栓本体部２０と開閉弁部２１とを有し、これら栓本体部２０と開閉弁部２１との間は扁平な帯状の折り返し用連結部２２により連結する構成としている。
【００２２】
栓本体部２０は、外周部が概略円筒状の部材からなり、一端側から円環状に内向きに突出する第１の円環状突条２３が形成されており、また中間部には中央に絞り通路２４を形成した隔壁２５が設けられ、さらに他端部には第２の円環状突条２６が形成されている。そして、第１の円環状突条２３と隔壁２５との間には第１の円環状凹部２７が、また隔壁２５と第２の円環状突条２６との間には第２の円環状凹部２８が形成されている。従って、栓本体部２０は、一端が口金１３の内部に連通し、他端は外部に開口する通路が形成され、この通路のうち最も狭い部位は絞り通路２４である。
【００２３】
また、開閉弁部２１は栓本体部２０の開口部分を閉鎖する隔壁となる本体板２９を有し、この本体板２９の栓本体部２０への接合端面２９ａからは突出部３０が内向きに突出する状態に連設されている。この突出部３０の外周面部には円環状溝３１が形成されており、この円環状溝３１の両立ち上がり壁によって栓本体部２０に形成した第２の円環状突条２６を挟持するようにして連結される。そして、開閉弁部２１の本体板２９における突出部３０の突出方向に対する反対面２９ｂには、概略凹半球形状の処置具ガイド部３２が形成されており、この処置具ガイド部３２の底部にスリット３３が形成されている。
【００２４】
さらに、スリット３３の形成部分には、処置具ガイド部３２とは反対側の面に窪み３４が形成されている。そして、処置具ガイド部３２側から窪み３４に至るように、つまり栓本体部２０に形成されている通路を外部と連通可能となし、もって処置具ガイド部３２側から挿入された処置具を栓本体部２０の内部に形成した通路を介して処置具導入部１２における口金１３の内部から処置具挿通チャンネル６内に導かれるようになている。
【００２５】
鉗子栓１０は、処置具が挿通されない限り密閉状態に保持され、処置具挿通チャンネル６側が高圧になっても、スリット３３を介して逆流しない、逆流防止弁としての機能を発揮するものである。スリット３３は、図５に示したように、それを構成する相対向する壁面３３ａ，３３ｂは相互に密着状態とし、処置具が挿通される際には、相互の壁面３３ａ，３３ｂを離間させて、その間に処置具が通る隙間を形成させる。従って、スリット３３の機能としては、処置具が挿通されていないときには、壁面３３ａ，３３ｂ間が完全に密着した状態に保持され、処置具を挿通させる際には、壁面３３ａ，３３ｂ間が容易に離間して、この処置具を通す隙間が形成されなければならない。
【００２６】
このために、スリット３３を構成する壁面３３ａ，３３ｂ全体を均等な面とするのではなく、処置具の挿入方向における外側、つまり処置具ガイド部３２側から途中までの部位は平滑面３５ａ，３５ｂとなし、この平滑面３５ａ，３５ｂに連なり、処置具挿入方向の内側となる窪み３４内に至るまでの長さ分を非平滑面３６ａ，３６ｂとしている。ここで、非平滑面３６ａ，３６ｂはジグザグ形状等凹凸のある形状であって、一方側から突出している部位は他方側で凹状となっている部位にほぼ全面で接触する形状とする。ただし、この凹凸は必ずしも規則的なものである必要はない。
【００２７】
平滑面と非平滑面とを含むスリット３３を形成するには、例えば一方側、つまり処置具ガイド部３２側から所定の深さ分に及ぶようにカッタで切り込みを入れることによって平滑面３５ａ，３５ｂを形成し、このようにして薄肉となった部位を引き裂くことによって、非平滑面３６ａ，３６ｂが形成される。なお、このときに、窪み３４側から浅い切り込みを入れておけば、スリット３３の方向を確実に制御することができる。
【００２８】
以上のように構成される鉗子栓１０において、栓本体部２０と開閉弁部２１等との間には、例えば図４に示した各部の寸法関係を持たせるように構成することができる。ただし、必ずしもこのような寸法関係とする必要はない。まず、栓本体部２０における第１の円環状凹部２７の部分は、口金１３の固定用突条１５と係合し、また第１の円環状突条２３は凹部１４に嵌入することによって、鉗子栓１０が口金１３に着脱可能に装着される。しかも、鉗子栓１０における開閉弁部２１は栓本体部２０に着脱されるから、装着時における栓本体部２０と口金１３との連結強度は、開閉弁部２１の栓本体部２０への連結強度より大きくする。従って、口金１３の凹部１４及び固定用突条１５と、栓本体部２０における第１の円環状突条２３及び第１の円環状凹部２７との間の寸法差はある程度大きくすることによって、栓本体部２０の第１の円環状突条２３と第１の円環状凹部２７との部位は大きく圧縮変形されるようにして口金１３に装着される。
【００２９】
前述のようにして栓本体部２０が口金１３に装着された状態で、開閉弁部２１が着脱可能に装着される。そして、装着状態で安定的に保持する機能を発揮するのは、栓本体部２０の係止部を構成する第２の円環状突条２６を、開閉弁部２１における本体板２９とそれと対面する突出部３０の壁部３０ａとで構成される挟持部に挟持させる。このために、第２の円環状突条２６の厚み寸法Ａ１は本体部２９と突出部３０の壁部３０ａとの間に形成される円環状溝３１の溝幅寸法Ａ２より大きくする。従って、開閉弁部２１の装着時には第２の円環状突条２６はある程度圧縮されることになる。また、栓本体部２０における第２の円環状突条２６の内径寸法Ｂ１は開閉弁部２１における円環状溝３１の溝底部の外径寸法Ｂ２より小さくなし、もって第２の円環状突条２６は拡径する方向に付勢力が生じる状態とする。ただし、栓本体部２０の第２の円環状凹部２８における内径寸法Ｃ１は開閉弁部２１における突出部３０の外径寸法Ｃ２より大きいか、若しくは同じ寸法となっている。また、第２の円環状凹部２８の幅寸法Ｄ１は突出部３０の厚み寸法Ｄ２より大きくする。
【００３０】
鉗子栓１０は、処置具導入部５において、口金１３の固定用突条１５の外周部に栓本体部２０の第１の円環状突条２３を押し込むようにして装着する。鉗子栓１０は全体が弾性部材から構成されているので、第１の円環状突条２３は弾性変形して内径部分が拡径することになって、口金１３の固定用突条１５を乗り越えて、凹部１４内に嵌入する。これによって、鉗子栓１０が処置具導入部５に固定される。
【００３１】
次に、開閉弁部２１を栓本体部２０に装着する。このために、折り返し用連結部２２をＵ字状に曲げるようにして、栓本体部２０の第２の円環状突条２６内に開閉弁部２１の突出部３０を押し込むようにする。これによって、第２の円環状突条２６が拡径すると共に突出部３０の外径が縮径することになる。そして、突出部３０が第２の円環状突条２６を乗り越えると、第２の円環状凹部２８内に収容される。これによって、栓本体部２０の第２の円環状突条２６と、開閉弁部２１の突出部３０が相対的に圧縮された状態となる。この圧縮分により開閉弁部２１は栓本体部２０に連結した状態に保持される。従って、その間の気密性が良好となる。
【００３２】
栓本体部２０を構成する第２の円環状突条２６は、弾性変形した状態で、その上下から開閉弁部２１の本体板２９と突出部３０との間に挟持されており、かつこの第２の円環状突条２６は開閉弁部２１の円環状溝３１により外向きに圧縮された状態になっているので、処置具導入部５の軸線方向にも、また軸線と直交する方向にも相対的に動かないように、実質的に一体物となるように保持される。また、開閉弁部２１のスリット３３を構成する壁面３３ａ，３３ｂは相互に密着して、その間が密閉状態に保持される。ここで、スリット３３の密閉性を高めるには、開閉弁部２１のゴム硬度を高くすると共に、スリット３３における壁面３３ａ，３３ｂ間が強力に圧接されるようにする必要がある。
【００３３】
開閉弁部２１におけるスリット３３は、常時には密閉状態に保持されるが、このスリット３３を開くことによって、処置具が挿通可能になる。内視鏡に挿通される処置具としては、先端に把持爪を有する鉗子等のように、腰が強く、しかも外径の大きな処置具もあり、また細い軟性チューブのように、外力の作用で容易に曲がるものもある。腰の強い鉗子等の処置具はともかく、軟性チューブ等も円滑にスリット３３を通過できるようにしなければならない。このためには、スリット３３の壁面３３ａ，３３ｂの処置具外面への押圧力をできるだけ弱くしなければ、曲げや変形等が発生して処置具のスリット３３内への押し込み推力を十分に作用させることができない。
【００３４】
以上のように、スリット３３として必要な相反する要件を具備させるために、開閉弁部２１を含めた鉗子栓１０全体のゴム硬度を高めたり、またスリット３３の壁面３３ａ，３３ｂ間の圧接力を大きくしたりすることなく、密閉性を高めるようにしている。また、処置具を挿通させる際には、処置具外面とスリット３３の壁面３３ａ，３３ｂとの接触面積を少なくすることによって、処置具を円滑にスリット３３を通過させることができるようにしている。
【００３５】
スリット３３の壁面３３ａ，３３ｂを処置具ガイド部３２側から途中位置までを平滑面３５ａ，３５ｂとし、窪み３４側を凹凸形状の非平滑面３６ａ，３６ｂとしたのはこのためである。まず、非平滑面３６ａ，３６ｂが全面で当接している限りは、全体を平滑面としたときより接触面積が広くなる。従って、この接触面積が増大する分だけ密閉性を高めることができる。ただし、処置具を繰り返し挿脱すると、非平滑面３６ａ，３６ｂが変形して、部分的に相互の密着性が得られない箇所が生じることもある。しかしながら、変形により生じる空隙部分は分散されることから、平滑面３５ａ，３５ｂの当接部に至るまでの間に圧力低下を来たすことになり、平滑面３５ａ，３５ｂの当接部の両側に作用する圧力差が極めて小さいものとなる。従って、平滑面３５ａ，３５ｂ間の圧接力が弱くても、十分な密閉性が確保される。
【００３６】
以上のことから、開閉弁部２１のゴム硬度を高めたり、またスリット３３を構成する壁面３３ａ，３３ｂ間の圧接力を強めたりする等といった措置を講じることなくスリット３３の密閉性が確保される。従って、スリット３３に処置具を挿通させる際において、処置具外面とスリット３３の壁面３３ａ，３３ｂとの摺動抵抗を小さくすることができ、たとえ細い軟性チューブであっても、変形等を生じることなく、容易かつ円滑にスリット３３を通過させることができる。その結果、処置具の挿通操作性が良好となる。また、壁面３３ａ，３３ｂに非平滑面３６ａ，３６ｂが形勢されていることから、その突出状態となっている部分だけが処置具の外面と当接し、凹状の部分は処置具の外面には接触しない。従って、スリット３３の壁面３３ａ，３３ｂにおける処置具の外面への接触面積が減少することになり、この点からも処置具のスリット３３への挿通が容易になる。
【００３７】
【発明の効果】
本発明は以上のように構成したので、処置具の挿通操作を円滑に行うことができ、しかも処置具を挿通させない状態では、スリットの密閉性を高くできる等の効果を奏する。
【図面の簡単な説明】
【図１】本発明の鉗子栓が装着される内視鏡の一例を示す全体構成図である。
【図２】本発明の実施の一形態である鉗子栓を装着した処置具導入部の断面図である。
【図３】図２の鉗子栓を栓本体部と開閉弁部とを分離した状態を示す平面図である。
【図４】図３のＸ−Ｘ断面図である。
【図５】図４のＡ部の拡大図である。
【符号の説明】
１  本体操作部      ２  挿入部
５  処置具導入部      ６  処置具挿通チャンネル
１０  鉗子栓      １３  口金
２０  栓本体部      ２１  開閉弁部
２２  折り返し用連結部      ２３  第１の円環状突条
２４  絞り通路      ２５  隔壁
２６  第２の円環状突条      ２７  第１の円環状凹部
２８  第２の円環状凹部      ２９  本体板
３０  突出部      ３１  円環状溝
３２  処置具ガイド部      ３３  スリット
３３ａ，３３ｂ  壁面      ３４  窪み
３５ａ，３５ｂ  平滑面
３６ａ，３６ｂ  非平滑面
【図１】
2004222780.tif 000003
【図２】
2004222780.tif 000004
【図３】
2004222780.tif 000005
【図４】
2004222780.tif 000006
【図５】
2004222780.tif 000007